(57)【要約】【課題】液体の通過路に螺旋部分を形成することにより、磁気処理機構によって液体を複数回磁気処理するようにした。【解決手段】液体の通過路１に螺旋部分２を設けて複数の螺旋流路３を重合状に形成し、前記螺旋部分２に、前記複数の螺旋流路３を一括するようにして液体の磁気処理機構４を装着し、通過路１を流れる液体を、螺旋部分２において磁気処理機構４により各螺旋流路３毎に複数回磁気処理するようにした。【選択図】  図１
2004195436.tif 000002
【特許請求の範囲】
【請求項１】
液体の通過路に螺旋部分を設けて複数の螺旋流路を重合状に形成し、前記螺旋部分に、前記複数の螺旋流路を一括するようにして液体の磁気処理機構を装着し、流路を流れる液体を、螺旋部分において磁気処理機構により各螺旋流路毎に複数回磁気処理するようにしたことを特徴とする液体の磁気式処理方法。
【請求項２】
液体の通過路に設けた螺旋部分に重合状に形成されている複数の螺旋流路と、前記螺旋部分に、前記複数の螺旋流路を一括するようにして設けられている液体の磁気処理機構とを少なくとも備え、前記液体の流路を流れる液体を、螺旋部分において磁気処理機構により各螺旋流路毎に複数回磁気処理するようにしたことを特徴とする液体の磁気式処理装置。
【発明の詳細な説明】
【０００１】
【発明の属する技術分野】
本発明は、水、汚水、油、ガソリンなどの液体を磁気作用によって浄化処理するようにしたことを特徴とする液体の磁気式処理方法及び磁気式処理装置に関するものである。
【０００２】
【従来の技術】
水などの液体を磁気作用によって処理する従来の磁気式の処理装置としては、枠体の内部に磁性材質からなるヨーク材に永久磁石を設け、前記枠体を送水パイプに挿着した構成が知られている（例えば、特許文献１参照）
【０００３】
【特許文献１】
特許第３２７３９９９号公報
【０００４】
【発明が解決しようとする課題】
しかし、前記した従来の磁気式処理装置では、液体の１本の流路に１個又は複数個の磁気処理装置を設けてあるだけである。したがって、装置内部に設けてある磁石を著しく強力にしないと通過する液体を確実に処理できないし、また液体の流れが遅いと、磁気処理能力が低減することになる。
したがって、本発明は著しく強力な磁石でなくても確実に、また液体の流れが遅くても充分に磁気処理できるようにしたことを目的とする。
【０００５】
【課題を解決するための手段】
前記した目的達成のために、本願の請求項１に記載の発明は、液体の通過路に螺旋部分を設けて複数の螺旋流路を重合状に形成し、前記螺旋部分に、前記複数の螺旋流路を一括するようにして液体の磁気処理機構を装着し、液体の流路を流れる液体を、螺旋部分において磁気処理機構により各螺旋流路毎に複数回磁気処理するようにしたことを特徴とする液体の磁気式処理方法に関するものである。
【０００６】
また本願の請求項２に記載の発明は、液体の通過路に設けた螺旋部分に重合状に形成されている複数の螺旋流路と、前記螺旋部分に、前記複数の螺旋流路を一括するようにして設けられている液体の磁気処理機構とを少なくとも備え、前記液体の流路を流れる液体を、螺旋部分において磁気処理機構により各螺旋流路毎に複数回磁気式処理するようにしたことを特徴とする液体の磁気式処理装置に関するものである。
【０００７】
【発明の実施の形態】
以下に本発明を図面に示す実施の態様に基づいて説明する。
図１は本発明の第１実施例の概略斜視図、図２は図１のＡ−Ａ線の断面図、図３は本発明の第２実施例の縦断面図、図４は本発明を使用した飲料水用ディスペンサーの概略正面図である。
【０００８】
本発明の磁気式処理装置の第１実施例は、図１で示すように、液体の通過路１の一部を螺旋状にして螺旋部分２を設けることにより複数の螺旋流路３を重合状に形成し、前記螺旋部分２に、前記複数の螺旋流路３を一括して跨ぐように液体の磁気処理機構４を装着し、液体の通過路１を流れる液体を、螺旋部分２において磁気処理機構４により各螺旋流路３毎に複数回磁気処理するようにしたことを特徴とするものである。
【０００９】
図１の本発明の第１実施例によれば、前記通過路１は非磁性材料で、上流端には液体の流入口１１を、下流端には流出口１２をそれぞれ設けてあり、また前記螺旋部分２は緩い楕円形状で、上下方向に重合するようにして４本の螺旋流路３が構成されている。
【００１０】
そして、前記螺旋部分２には、上下４本の螺旋流路３を一括して跨ぐようにして３基の磁気処理機構４を等間隔に装着してある。
【００１１】
前記磁気処理機構４は、逆Ｕ字状で非磁性のケース４１の中空内部に、対向状に永久磁石４２を設けた磁性材料からなる逆Ｕ字状のヨーク材４３を収納設置するとともに、前記ケース４１の下端部に着脱可能に閉止材４４を設けた構成で、前記ケース４１の中央部分に形成されて前記閉止材４４によって閉塞される流路収納空間部４５に前記螺旋部分２を挿通させる。
【００１２】
したがって、流入口１１から流入する液体は、通過路１を流れる過程で螺旋部分２の４本の螺旋流路３を通過し、３基の磁気処理機構４の永久磁石４２によって磁気処理されるので、合計１２回も磁気処理されることになり、永久磁石の磁化力が弱くても磁気による処理効果が著しく向上する。
【００１３】
なお、磁気処理機構４を螺旋部分２に装着するには、閉止材４４を外して流路収納空間部４５を開放し、開放部分から螺旋部分２に装着してから閉止材４４を取り付けて流路収納空間部４５を閉塞すればよい。また、磁気処理機構４を螺旋部分２から外すには、閉止材４４を外すだけで良い。したがって、前記流路収納空間部４５は、螺旋部分２の各螺旋流路３を内部に、密接状に収納できる上下、左右の寸法が必要である。
【００１４】
図３は本発明の第２実施例を示すもので、前記第１実施例と構造が相違する部分は、通過路１の螺旋部分２に設けた複数の螺旋流路３を上下、左右の２重に構成し、磁気処理機構４の空間部４５を、螺旋流路３が上下、左右の２重に重合する螺旋部分２を収納できる寸法としたものであり、磁気処理機構４の構成は前記第１実施例と変わらないので同一符号を付して説明を省略する。
【００１５】
前記した本発明の第２実施例によれば、螺旋流路３が左右に並列していても使用することができ、特に螺旋部分２の高さが低い場合に効果的である。
【００１６】
図４は、本発明の磁気式処理装置を飲料水用ディスペンサー１０１に使用する場合を示すもので、前記ディスペンサー１０１は、中空なボックス１０２を上下三段に仕切って最上段に機構室１０３、中段に飲料水の採取室１０４、最下段に排水処理室１０５を構成する。
【００１７】
そして、前記機構室１０３の内部に本発明の第１実施例若しくは第２実施例の磁気式処理装置を設置し、通過路１の流入口１１を水道蛇口などの液体供給機構に接続して流入口１１と螺旋部分２との間に電磁弁１０６を設け、また螺旋部分２の下端から延長する下流側にカートリッジ交換可能な浄水器１０７を設けて流出口１２を飲料水の採取室１０４に開口させる。
【００１８】
前記ボックス１０２の表面にはタイマー付きスイッチ機構１０８を設けてあり、前記スイッチ機構１０８を操作すると前記電磁弁１０６がタイマーで設定された時間だけ開放し、通過路１を流れる液体を複数の磁気処理機構４で磁気処理するとともに浄水器１０７で浄化処理して採取室１０４に供給する。
【００１９】
前記採取室１０４にはドアーによって開閉可能なコップの載置部１０９を設けてあって前記流出口１２がその上方に位置するので、載置部１０９にコップａを置いてスイッチ機構１０８を操作すると、タイマーにより制御される一定量の液体が螺旋部分２を通過し、その過程で磁気処理機構４により充分に磁気処理されて浄化された液体がコップａに供給される。
【００２０】
前記排水処理室１０５には排出チューブ１１０を設けてあり、その上端が載置部１０９に連結されている。したがって、コップａから溢れる液体は、チューブ１１０を流れて排水処理室１０５に流入し、容器などに収納される。
【００２１】
上記したように、本発明に係る液体の磁気式処理装置をディスペンサー１０１に設けると、飲料水をきわめて簡単に、確実に処理するので、例えば一般家庭用に使用しても実用的効果の高いものとなる。
【００２２】
以上本発明を図面に示す実施例に基づいて説明したが、本発明は前記実施例に限定されるものではなく、特許請求の範囲に記載の構成を変更しない限りどのようにでも実施することができる。
例えば、螺旋部分における螺旋流路は複数本であれば何本でもよいし、また上下左右、若しくは斜めに隣り合う状態であればどのようにでも重合していてもよい。また、螺旋部分の複数本の螺旋流路に一括して装着する磁気処理機構の数は特に限定されるものではないし、磁気処理機構の具体的構成も前記実施例に限定されるものではない。
また、本発明によれば磁気的に処理する液体としては、飲料用の水だけではなく、オイル、汚水、ガソリンなどあらゆる種類の液体であっても利用することができる。
【００２３】
【発明の効果】
以上要するに、本発明によれば、液体の通過路に螺旋部分を設けて複数の螺旋流路を重合状に形成し、前記螺旋部分に、前記複数の螺旋流路を一括するようにして液体の磁気処理機構を装着し、流路を流れる液体を、螺旋部分において磁気処理機構により各螺旋流路毎に複数回磁気処理するようにしたことを特徴とするものである。
【００２４】
したがって、１基若しくは複数基の磁気処理機構によって通過路を流れる液体を複数回にわたり磁気処理することができるので、永久磁石の磁力が極端に強くなくても確実に処理することができる。そして、液体の流速が遅いと永久磁石による磁気処理効率が低いが、複数回の磁気処理作用によって充分な効果を期待できるし、構造が簡単で一般に使用されている永久磁石を利用することができるので低廉に製造することができ、家庭用若しくは業務用での飲料水の処理ばかりでなく、浄化装置での汚水処理や廃液処理等大規模な設備の液体処理にでも使用することができ、実用的価値の高いものとなる。
【図面の簡単な説明】
【図１】本発明の第１実施例を示す概略斜視図である。
【図２】図１のＡ−Ａ線の断面図である。
【図３】本発明の第２実施例を示す縦断面図である。
【図４】本発明を使用した飲料水用ディスペンサーの概略正面図である。
【符号の説明】
１  通過路
２  螺旋部分
３  螺旋流路
４  磁気処理機構
１１  流入口
１２  流出口
４１  ケース
４２  永久磁石
４３  ヨーク材
４４  閉止材
４５  流路収納空間部
１０１  ディスペンサー
１０２  ボックス
１０３  機構室
１０４  採取室
１０５  排水処理室
１０６  電磁弁
１０７  浄水器
１０８  スイッチ機構
１０９  載置部
【図１】
2004195436.tif 000003
【図２】
2004195436.tif 000004
【図３】
2004195436.tif 000005
【図４】
2004195436.tif 000006